(57)【要約】【課題】特殊な照明用光源保持部材を要しない簡単な構造で、照明用の照明用光源同士を確実に隔離する。【解決手段】パネル１０に複数の照明対象体２２が配列される。パネル１０の裏側に回路基板１２が設けられ、この回路基板１２に各照明対象体２２をそれぞれ照明するための複数の照明用光源２４が実装される。照明用光源２４間での光の交錯を防ぐため、パネル１０の裏側には隔離壁２６が設けられ、回路基板１２のうちパネル１０に対向する面の上に弾性シート３０が設けられる。隔離壁２６は、互いに隣接する照明用光源２４同士の間に位置してパネル１０の裏面から回路基板１２側に突出する。この隔離壁２６の端部が弾性シート３０にその弾性変形を伴いながら密着することにより、互いに隣接する照明用光源２４同士を隔離する。【選択図】図３
2008309954.tif 000002
【特許請求の範囲】
【請求項１】
パネルと、このパネルに配列される複数の照明対象体と、これらの照明対象体をそれぞれ照明するための複数の照明用光源とを備えた表示装置であって、
前記パネルの裏側に配設され、前記各照明用光源が実装される回路基板と、
この回路基板のうち前記パネルに対向する面の上に設けられる弾性部材と、を備え、
前記パネルは、前記照明用光源のうち互いに隣接する照明用光源同士の間に位置して当該パネルの裏面から前記回路基板側に突出する隔離壁を有し、この隔離壁の端部が前記弾性部材にその弾性変形を伴いながら密着することにより互いに隣接する照明用光源同士を隔離することを特徴とする表示装置。
【請求項２】
請求項１記載の表示装置において、
前記弾性部材は、複数の隔離壁に同時に密着可能な形状を有することを特徴とする表示装置。
【請求項３】
請求項２記載の表示装置において、
前記弾性部材は、前記回路基板上に実装される複数の照明用光源をそれぞれ前記照明対象体側に露出させるための複数の貫通孔を有し、各貫通孔の周縁の部分が前記各照明用光源に対応する隔離壁と密着可能であることを特徴とする表示装置。
【請求項４】
請求項２または３記載の表示装置において、
前記弾性部材は、前記回路基板のうち前記パネルに対向する面に沿って設けられる単一の弾性シートからなり、この弾性シートに全ての隔離壁が密着可能であることを特徴とする表示装置。
【請求項５】
請求項２〜４のいずれかに記載の表示装置において、
前記回路基板上には、前記各照明用光源が実装される位置と別の位置に基板側スイッチ接点が設けられ、
前記弾性部材は、前記各隔離壁と密着する部位とは別の部位に、押圧操作されることにより弾性変形し、かつ、その弾性変形により前記基板側スイッチ接点と接触する弾性スイッチ接点をもつスイッチ部を一体に有することを特徴とする表示装置。
【請求項６】
請求項１〜５のいずれかに記載の表示装置において、
前記隔離壁は、前記照明用光源を囲む筒状をなし、その隔離壁の端部が全周にわたって前記弾性部材に密着することを特徴とする表示装置。
【請求項７】
請求項６記載の表示装置において、
前記照明対象体は、前記隔離壁の内側に圧入されることにより前記パネルに固定されることを特徴とする表示装置。
【発明の詳細な説明】
【技術分野】
【０００１】
本発明は、自動車の車室内等に設けられる表示装置に関するものである。
【背景技術】
【０００２】
自動車のオーディオ操作パネルやエアコン操作パネル等には、夜間にその操作部位や表示内容を明確にするための照明機能が与えられる。このような照明のために、インジケータレンズ等の照明対象体がパネルに設けられる一方、当該パネルの裏側に、ＬＥＤ等の照明用光源が実装された回路基板が配置される。
【０００３】
このような表示装置において、前記パネルに複数の照明対象体が配列される場合、それらの照明対象体に対応して複数の照明用光源が前記回路基板に実装されることがある。その場合、各照明対象体には当該照明対象体に対応する照明用光源からの光のみが入射されることが好ましいが、照明用光源間の距離が比較的小さい場合、複数の照明用光源からの光が交錯して適正な照明が困難となるおそれがある。
【０００４】
このような不都合を解消する手段として、特許文献１の第３図には、パネル（ハウジング）側に遮光板を形成する技術が開示されている。前記遮光板は、前記パネルの裏面から照明用光源（ＬＥＤ）側に向かって延び、かつ、照明対象体であるインジケータレンズの周囲を覆う形状を有する。
【０００５】
また、当該特許文献１の第２図には、ＬＥＤを保持するＬＥＤホルダ側に遮光用の弾性フラッパを形成する技術が開示されている。前記弾性フラッパは、各ＬＥＤを覆う形状を有し、かつ、照明対象体であるレンズ部を保持するレンズアレイの裏面と接触することにより、隣接するＬＥＤ同士を隔離する機能を有する。
【特許文献１】実願昭６２−１３７５２５号マイクロフィルム
【発明の開示】
【発明が解決しようとする課題】
【０００６】
前記特許文献１の第３図に記載される技術では、隣接するＬＥＤ間での光の交錯を完全に防ぐことはできない。この技術では、各照明対象体を囲うようにパネル側に遮光板が形成されるが、この遮光板とＬＥＤホルダとの隙間を通じて各照明対象体（インジケータレンズ）に隣のＬＥＤからの光が入射してしまうおそれがある。
【０００７】
一方、同文献１の第２図に記載される技術では、ＬＥＤホルダに形成される各弾性フラッパが隣接するＬＥＤ同士を完全に隔離することが可能であるが、汎用性が低い。すなわち、前記のような弾性フラッパを導入するためには、ＬＥＤを保持するための専用の成型品であるＬＥＤホルダを用いなければならず、一般の回路基板、例えば前記ＬＥＤが半田付け等により実装されるプリント回路基板が用いられる装置には当該技術を適用することができない。
【０００８】
本発明は、このような事情に鑑み、照明用光源を保持するための特別な部材を要しない簡単な構造で、照明用の照明用光源同士を確実に隔離することができる表示装置を提供することを目的とする。
【課題を解決するための手段】
【０００９】
前記課題を解決するための手段として、本発明は、パネルと、このパネルに配列される複数の照明対象体と、これらの照明対象体をそれぞれ照明するための複数の照明用光源とを備えた表示装置であって、前記パネルの裏側に配設され、前記各照明用光源が実装される回路基板と、この回路基板のうち前記パネルに対向する面の上に設けられる弾性部材とを備える。前記パネルは、前記照明用光源のうち互いに隣接する照明用光源同士の間に位置して当該パネルの裏面から前記回路基板側に突出する隔離壁を有し、この隔離壁の端部が前記弾性部材にその弾性変形を伴いながら密着することにより互いに隣接する照明用光源同士を隔離する。
【００１０】
なお、ここでいう「照明用光源同士を隔離」とは、光学的な隔離、すなわち、照明用光源間での光の交錯の防止が達成されていればよいことを意味するものであり、必ずしも各照明用光源が完全に閉じ込められていなくてもよい。
【００１１】
前記装置では、パネル側に設けられた隔離壁が回路基板側の弾性部材にその弾性変形を伴いながら密着することにより、互いに隣接する照明用光源同士を確実に隔離する。しかも、回路基板側には前記弾性部材が設けられていればよく、回路基板自体には通常のものをそのまま使用することが可能である。
【００１２】
前記弾性部材は、隔離壁毎に設けられるものでもよいが、複数の隔離壁に同時に密着可能な形状を有することが、より好ましい。これにより、弾性部材の必要数が減り、構造がより簡素化される。
【００１３】
例えば、前記弾性部材が、前記回路基板上に実装される複数の照明用光源をそれぞれ前記照明対象体側に露出させるための複数の貫通孔を有し、各貫通孔の周縁の部分が前記各照明用光源に対応する隔離壁と密着可能であるものであれば、当該弾性部材を前記回路基板に容易に組付けることが可能である。特に、当該弾性部材と前記照明用光源及びこれに対応する隔離壁との位置決めを正確に行うことが可能になる。
【００１４】
また、前記弾性部材が単一の弾性シートからなり、この弾性シートに全ての隔離壁が密着可能であれば、構造はさらに簡素化される。
【００１５】
また、前記回路基板上には、前記各照明用光源が実装される位置と別の位置に基板側スイッチ接点が設けられ、前記弾性部材は、前記各隔離壁と密着する部位とは別の部位に、押圧操作されることにより弾性変形し、かつ、その弾性変形により前記基板側スイッチ接点と接触する弾性スイッチ接点をもつスイッチ部を一体に有するものでもよい。この弾性部材は、回路基板上に設けられるスイッチ部材と、前記の照明用光源同士の隔離のための部材とに兼用されるため、表示装置全体の構造のさらなる簡素化に寄与する。この装置によれば、前記スイッチ部材とは別に照明用光源同士の隔離のための専用の新たな弾性部材を設ける必要がなくなる。
【００１６】
前記隔離壁は、前記照明用光源を囲む筒状をなし、その隔離壁の端部が全周にわたって前記弾性部材に密着することが、より好ましい。このような形状の隔離壁は、照明用光源同士の隔離をより確実にする。
【００１７】
さらに、このような筒状の隔離壁では、その内側に前記照明対象体を圧入することにより当該照明対象体を前記パネルに固定することも可能であり、これによりパネル側の構造も簡素化される。
【発明の効果】
【００１８】
以上のように、本発明は、パネル側に隔離壁を設け、回路基板側に前記隔離壁が弾性的に密着可能な弾性部材を設けるだけの簡素な構造で、特別な光源保持用の部材を導入することなく、互いに隣接する照明用光源同士を確実に隔離して適正な照明を実現することができる効果がある。
【発明を実施するための最良の形態】
【００１９】
本発明の好ましい実施の形態を、図面を参照しながら説明する。
【００２０】
図１に示される表示装置は、例えば自動車のインストゥルメントパネルに組み込まれる電子機器であり、本体パネル１０と、その裏側に配設される回路基板１２及びリアカバー１４とを備える。前記リアカバー１４は、前記本体パネル１０とで前記回路基板１２を挟持しながら当該回路基板１２を収容するように、前記本体パネル１０の裏面に図略のねじによって固定される。
【００２１】
前記本体パネル１０には、中央のダイヤルノブ１５と左右のダイヤルノブ１６とが回転可能に設けられる。これに対応して、前記回路基板１２上には、前記各ダイヤルノブ１５，１６によりそれぞれ回転操作を受けるダイヤル素子１７，１８と、前記各ダイヤルノブ１５，１６を支持するためのノブ支持部材２０，２１とが固定される。
【００２２】
前記本体パネル１０には、さらに、照明対象体として図２及び図３に示すような複数のインジケータレンズ２２が保持されている。これらのインジケータレンズ２２は、この実施の形態では、左右のダイヤルノブ１６の内側周縁に沿って互いに近接するように配列されている。一方、前記回路基板１２上には、前記各インジケータレンズ２２をそれぞれ個別に照明するための複数の照明用光源２４が実装されている。これらの照明用光源２４は、例えばＬＥＤにより構成され、その照明対象となるインジケータレンズ２２のすぐ裏側の位置にそれぞれ配設されている。
【００２３】
なお、本発明において、前記照明対象体の具体的構造、個数、配設位置はいずれも限定されない。当該照明対象体はインジケータレンズに限られず、例えば単なる透明板であってもよい。
【００２４】
前記各インジケータレンズ２２及びこれらに対応する各照明用光源２４の配設位置は、互いに隣接している。従って、遮光用の特別な構造が存しないと、各照明用光源２４からの光が相互に交錯する可能性がある。このような交錯を防ぐため、前記本体パネル１０側の裏面に隔離壁２６が、前記回路基板１２側に図４に示すような弾性シート３０が、それぞれ設けられる。
【００２５】
前記隔離壁２６は、前記各インジケータレンズ２２に対応する位置に形成されている。各隔離壁２６は、前記各照明用光源２４を個別に囲む筒状をなし、前記本体パネル１０の裏面から後方に（すなわち前記回路基板１２側に向かって）突出している。この実施の形態では、前記各インジケータレンズ２２が前記隔離壁２６と同軸に延びる形状を有し、これらのインジケータレンズ２２が対応する隔離壁２６の内側にそれぞれ圧入されることにより前記本体パネル１０に固定される。また、前記本体パネル１０の表側面の適当な領域には装飾パネル２８が装着される。
【００２６】
前記弾性シート３０は、ゴム等の弾性部材からなり、前記回路基板１２のうち前記本体パネル１０に対向する面の上に設けられ、当該面に沿って固着される。この弾性シート３０の配設領域は、前記回路基板１２上における各照明用光源２４の実装位置を含んでいる。当該弾性シート３０は、前記各実装位置に対応する位置に、前記照明用光源２４をそれぞれ個別に前記インジケータレンズ２２側に露出させるための貫通孔３２を有する。
【００２７】
前記各隔離壁２６の突出寸法（軸方向寸法）は、前記本体パネル１０に前記回路基板１２及びリアカバー１４が組み付けられた状態で前記弾性シート３０の弾性変形を伴いながら当該弾性シート３０に前記各隔離壁２６が密着するように、設定されている。具体的には、前記各隔離壁２６の先端面がその全周にわたって前記弾性シート３０のうちの各貫通孔３２の周縁部分に密着する。
【００２８】
前記各隔離壁２６と前記弾性シート３０との密着は、前記各照明用光源２４を個別に隔離し、互いに隣接する照明用光源２４間での照明光の交錯を防ぐ。また、回路基板１２には特別な構造を付与する必要がなく、その面上に前記弾性シート３０を配設するだけでよいので、当該回路基板１２には通常のものをそのまま使用することが可能である。
【００２９】
さらに、この実施の形態に係る弾性シート３０は、前記照明用光源２４の隔離だけでなく、弾性スイッチ部材として兼用されるものであり、装置全体の構造のさらなる簡素化に寄与する。具体的に、この弾性シート３０は、前記各貫通孔３２と異なる位置（左右の貫通孔３２の配設領域よりも内側の位置）に図５に示すような複数のスイッチ部３４を一体に有する。
【００３０】
各スイッチ部３４は、押圧操作を受けるスイッチ本体３５と、このスイッチ本体３５の周縁部と弾性シート３０の本体部分とをつなぐ薄肉部３６とを一体に有する。この薄肉部３６は、前記スイッチ本体３５が押圧される方向（弾性シート３０の肉厚方向と平行な方向）への当該スイッチ本体３５の変位を許容するように撓み変形すなわち弾性変形する。
【００３１】
前記スイッチ本体３５の裏面には、導体からなる弾性スイッチ接点３５ａが設けられる。これに対応して前記回路基板１２上には基板側スイッチ接点１３が設けられ、前記スイッチ本体３５の前記押圧方向への弾性変位により両接点３５ａ，１３が接触する。
【００３２】
前記スイッチ部３４は、本体パネル１０側から押圧操作される。具体的に、この本体パネル１０には、パネル前側から押圧操作が可能な左右一対の操作ボタン１１が設けられ、各操作ボタン１１に加えられる押圧力が複数のスイッチ部３４に同時に伝達される。その伝達のために、前記各操作ボタン１１とこれに対応するスイッチ部３４との間にそれぞれ押圧力伝達部材３８が介在する。この押圧力伝達部材３８は、本体パネル１０側に設けられたガイド部材４０により前記押圧方向にスライド可能に支持され、当該方向へのスライドによって、前記操作ボタン１１に加えられる押圧力を前記各スイッチ部３４に伝える。
【００３３】
本発明は以上示した実施の形態に限定されない。例えば次のような実施の形態を含むこともできる。
【００３４】
・本発明は、隔離壁毎に設けられる複数の弾性部材を具備してもよい。その場合、各弾性部材は各隔離壁と接触可能な部位にのみ設けられればよい。しかし、前記図１等に示される弾性シート３０のように複数の隔離壁に同時に接触する弾性部材は、部品点数の削減に寄与する。特に、この弾性シート３０は、前記各照明用光源２４を露出させるための貫通孔３２を有してその周縁部分が各隔離壁２６に接触するものであるため、回路基板１２への組付け、特に弾性シート３０と各照明用光源２４及び各隔離壁２６との相対位置をより正確に決めることを可能にする。
【００３５】
・隔離壁の形状は図示のような筒状に限られない。少なくとも照明用光源同士の間に介在してその光源間での照明光の交錯を防ぐ遮光機能を有するものであればよい。しかし、前記の筒状のものは、簡単な形状で照明用光源同士の隔離を確実にすることが可能であるという利点がある。
【図面の簡単な説明】
【００３６】
【図１】本発明の実施の形態に係る表示装置を備えた電子機器の分解斜視図である。
【図２】前記表示装置の正面図である。
【図３】図２のＩＩＩ−ＩＩＩ線断面図である。
【図４】前記表示装置に含まれる弾性シートの斜視図である。
【図５】前記弾性シートに含まれるスイッチ部及びその周辺要素を示す断面図である。
【符号の説明】
【００３７】
１０  本体パネル
１２  回路基板
１３  基板側スイッチ接点
２２  インジケータレンズ（照明対象体）
２４  照明用光源
２６  隔離壁
３０  弾性シート
３２  貫通孔
３４  スイッチ部
【図１】
2008309954.tif 000003
【図２】
2008309954.tif 000004
【図３】
2008309954.tif 000005
【図４】
2008309954.tif 000006
【図５】
2008309954.tif 000007